(57)【特許請求の範囲】
【請求項１】
輸液剤が収納された輸液容器（１３）、輸液ポンプ（１６）及び輸液セット（１４）を収納可能な輸液スタンド本体（２）と該輸液スタンド本体（２）の開口部に着脱自在に係合可能な蓋体（３）とからなる輸液スタンド（１）であって、
該輸液スタンド（１）は上部と底部を有し、該上部外方に形成された該輸液スタンド（１）の持ち運びを可能とする把持部（７）と、該底部外方向に形成された脚部（６）と、該底部近傍に形成され輸液セット（１４）のチューブを輸液スタンド外部へ導出するための切欠部（８）と、前記輸液スタンド本体（２）内に形成され該輸液スタンド本体（２）の上部側に設けられ前記輸液容器（１３）の移動、転倒を抑制する輸液容器収納部（９）と、該輸液スタンド本体（２）の底部側に設けられ輸液ポンプ（１６）の移動、転倒を抑制する輸液ポンプ収納部（１１）と、該輸液容器収納部（９）と該輸液ポンプ収納部（１１）との中間位置に設けられた輸液セットの点滴筒保持部（１２）と、前記輸液容器収納部（９）の前記輸液スタンド本体（２）の該底部側に形成され、前記輸液容器（１３）の排液ポート部分（１８）を通過可能な透孔と、を備え、
前記点滴筒保持部（１２）は、保持された点滴筒（１５）の最上部が前記輸液容器収納部（９）に収納した前記輸液容器（１３）の前記排液ポート部分（１８）の最下部よりも下に位置するように設け、
前記蓋体（３）は、透明な硬質で遮光性物質及び電磁波遮断性物質を含む高分子樹脂で形成され、
前記蓋体（３）の前記輸液ポンプ収納部（１１）に対応する部分は前記蓋体（３）を外さなくても前記輸液ポンプ（１６）の操作部が操作できるように切欠部を設け、該切欠部には別部材で成形した蓋をヒンジで取り付けてなることを特徴とする輸液スタンド。
【請求項２】
前記輸液ポンプ（１６）は、前記輸液スタンド本体（２）にバンド様固定具１９で前記輸液ポンプ収納部（１１）に固定されることを特徴とする請求項１に記載の輸液スタンド。
【発明の詳細な説明】
【０００１】
【発明の属する技術分野】
本発明は、輸液、輸血等を行なう際に使用される輸液スタンドに関するものである。更に詳しくは、輸液剤、輸液ポンプ、輸液セットを収納でき、移動時等に携帯が容易な輸液スタンドに関するものであり、特に在宅での医療に好適なコンパクトで持ち運びやすい輸液スタンドに関する。
【０００２】
【従来の技術】
輸液剤を点滴する場合にキャスターを備えた支柱の上部に輸液剤を懸垂するためのフックの付いたハンガー部を有するガートル台と呼ばれる金属製の輸液スタンドが広く使用されている。この様な輸液スタンドは、病院のベットサイドで使用する場合には便利であるが、輸液剤を点滴しながら病院内を歩行したり、トイレにいく場合などには、床の段差等によるスムーズな移動ができないことや、また場所をとる等使いにくい点も多い。特に、在宅で使用する場合には、病院内に比べ段差やスペースの問題が更に重大な障害となり使い難いものとなっていた。また、在宅での歩行時等には、輸液セットのチューブが家具などに引っ掛かったり、輸液剤に遮光のために被せている遮光カバーが家具等に引っ掛かり破けたり、あるいは輸液ポンプが携帯電話等の電磁波によって誤作動する心配もあった。
【０００３】
【発明が解決しようとする課題】
上記の様に従来の輸液スタンドは段差のある場所ではスムーズに動くことが難しく、また狭い場所ではスタンド自体が入らなかったり、あるいは輸液セットのチューブや輸液ポンプを引掛けてしまい接続部が外れてしまう心配もあった。特に、家庭で使用するには大きくて重く使い憎いものであった。
【０００４】
従って、在宅での輸液療法に際しても移動が容易で場所をとらず、軽量で輸液剤、輸液ポンプ、輸液セット等がコンパクトに収納できる輸液スタンドの提供を目的としている。
【０００５】
また、輸液剤が光によって変質することがなく、さらに輸液ポンプが電磁波の影響えお受けて誤作動することのない輸液スタンドを提供することを目的としている。
【０００６】
【課題を解決するための手段】
上述した課題を解決するため、本発明は、輸液剤が収納された輸液容器、輸液ポンプ及び輸液セットを収納可能な輸液スタンド本体と輸液スタンド本体の開口部に着脱自在に係合可能な蓋体とからなる輸液スタンドであって、輸液スタンドは上部と底部を有し、上部外方に形成された該輸液スタンドの持ち運びを可能とする把持部と、底部外方向に形成された脚部と、底部近傍に形成され輸液セットのチューブを輸液スタンド外部へ導出するための切欠部と、輸液スタンド本体内に形成され輸液スタンド本体の上部側に設けられ輸液容器の移動、転倒を抑制する輸液容器収納部と、輸液スタンド本体の底部側に設けられ輸液ポンプの移動、転倒を抑制する輸液ポンプ収納部と、輸液容器収納部と輸液ポンプ収納部との中間位置に設けられた輸液セットの点滴筒保持部と、輸液容器収納部の輸液スタンド本体の底部側に形成され、輸液容器の排液ポート部分を通過可能な透孔と、を備え、点滴筒保持部は、保持された点滴筒の最上部が輸液容器収納部に収納した輸液容器の排液ポート部分の最下部よりも下に位置するように設け、蓋体は、透明な硬質で遮光性物質及び電磁波遮断性物質を含む高分子樹脂で形成され、蓋体の輸液ポンプ収納部に対応する部分は蓋体を外さなくても輸液ポンプの操作部が操作できるように切欠部を設け、切欠部には別部材で成形した蓋をヒンジで取り付けてなることを特徴とする。
【００１０】
【発明の実施の形態】
以下に本発明の好適な実施の形態について、添付の図面を参照して詳細に説明する。
【００１１】
図１は本発明の輸液スタンド１の外観図であり、図２は本発明の輸液スタンドに輸液剤、輸液ポンプ、輸液セットを収納した場合の外観図である。
【００１２】
本図において図示のように輸液スタンド本体２の開口部は、蓋体３によって封止でき、輸液剤を点滴静注しているときに埃やごみがスタンド内部へ入らないようになっている。蓋体はヒンジによってスタンド本体に取付けられていてもよく、はめ合わせによってスタンド本体に取付けられるようになっていてもよい。蓋体の輸液ポンプ収納部１１に対応すつ部分は、蓋体を外さなくても輸液ポンプ１６の操作部が操作できるように切欠いておくことが好適である。また、その切欠部には別部材で成形した蓋を設けることが好ましく、その蓋は蓋体にヒンジで取り付けられていても、はめ合わせにより蓋体に取り付けられてもよい。
【００１３】
輸液スタンド本体は、ステンレス、アルミ等の金属を用いて成型してもよいが、ポリプロピレン系樹脂、ポリカーボネート系樹脂、アクリル系樹脂等の硬質の高分子樹脂で成型するほうが加工性や軽量にできる点から好適である。蓋体は、開放しなくても内部の状況が確認できるように透明か半透明であることが望ましく、ポリプロピレン系樹脂、ポリカーボネート系樹脂、ポリエステル系樹脂等で成型される。輸液スタンド本体と蓋体を成型する際に樹脂中にアンスラキノン系の色素であるカラーインデックスビグメントイエロー等、顔料であるカボンブラック等、紫外線吸収材であるベンゾトリアゾール等の従来から遮光材料として使用されている成分を配合することによって遮光性を付与することが好適である。更に、輸液スタンド本体と蓋体を成型する際にステンレス或いは銅製のメッシュ（細い線条体からなる網）を全体的に埋設することによって、携帯電話等が発する電磁波による輸液ポンプの誤作動等を防止することができる。
【００１４】
輸液スタンド本体２の脚部６は、輸液スタンド１の底部５を床等の輸液スタンド載置面から５〜１０ｃｍ程度離す高さを有するものが、輸液スタンド外部へ導出された輸液セット１４のチューブの折り曲げによるキンクの防止や衛生面から好適である。
【００１５】
輸液スタンド上部４外報に設けられた把持部７は、輸液スタンドを安定に持ち運べるものであればよく、スタンド本体に一体的に形成されていても、別体で形成しスタンド本体に取付けられていてもよい。
【００１６】
輸液スタンドから輸液セット１４のチューブを導出するための切欠部（孔）８の位置は特に限定されるものではないが、輸液ポンプの送液部よりも低い位置にあることが好適であり、輸液スタンド底部５付近に設けることが好ましい。
【００１７】
輸液スタンド本体内部の輸液容器収納部９は、輸液容器１３の排液ポート部分１８を下向きにして載置した際に輸液容器が転倒したり、移動したりしないように安定した状態で保持できなければならない。従って、輸液容器１３を包み囲むようにポケット状の収納壁１０を形成することが好適であり、収納壁１０の高さは輸液容器１３の交換がスムーズにできる高さでなければならない。収納壁１０の底部には輸液容器１３の排液ポート部分１８を輸液容器収納部の外部へ出すための透孔が形成されていて排液ポート部分へ結合された輸液セット１４のチューブが輸液スタンド本体の底部方向へ配置することができる。収納壁には、収納壁の上部から透孔へ至るスリット様の切り込みを形成しておくと輸液容器と輸液セットを結合した状態でも、輸液セットのチューブ等をスリット様の切り込み部を通過させ、輸液容器を輸液容器収納部へ容易に収納することができ好適である。また、輸液容器の倒立を補助するために輸液容器の懸垂孔（懸垂部材）を引掛け懸垂するためのフック様の引掛け部を有す懸垂孔係止部を設けることが好適である。輸液容器収納部９は輸液スタンド本体２と一体的に成形されていてもよいが、別部材で成形し、輸液スタンド本体の輸液容器収納部に対応する位置にフック等の係止具１７を用いて係止固定しても良い。別部材で成形した方が輸液収納部が揶揄液等で汚れた時にも容易に洗浄ができ好適である。さらに、輸液容器収納部は、図１に示す様に別部材からなる輸液容器収納部９の収納壁１０を２分割した形状の２部材で形成することもできる。このようにすると、輸液容器１３の大きさに合わせて図１に示す向かって右側にある係止具１７に収納壁１０の片側を係止固定し収納することができる。
【００１８】
輸液スタンド本体２内部の輸液ポンプ収納部１１は、輸液ポンプ１６を載置した際に輸液ポンプが転倒したり、移動したりしないように安定した状態で保持できなければならない。従って、輸液ポンプを包み囲うようなポケット状の収納壁を形成することが好適であり、収納壁の高さは輸液ポンプの送液部の輸液セットのチューブの交換等がスムーズにできるように、輸液ポンプが容易に取り出せる高さでなければならない。
【００１９】
また、輸液ポンプは輸液スタンド本体にバンド様固定具１９で固定することもできる。更に、輸液ポンプは、位置を決めるための低い収納壁とバンド様の固定具によって輸液ポンプ収納部に保持固定しても良い。
【００２０】
輸液スタンド本体２内の輸液セット１４の点滴筒１５を保持固定する点滴筒保持部１２は、保持された点滴筒１５の最上部が輸液容器収納部９に収納した輸液容器１３の排液ポート部分１８の最下部よりも下に位置するように設けることが望ましい。点滴筒ははぼ垂直に保持されるように保持具を設ける。保持具は点滴筒の上部と下部を保持してもよく、また点滴筒の筒部を保持するようにしてもよい。保持手段は特に限定されるものではなく、例えばクランプの様に点滴筒を安定に保持固定でき、外す際には容易に取り外せるものであればよい。
【００２１】
尚、本発明は上記の実施形態に限られるものではなく本発明の要旨を逸脱しない範囲の設計変更があっても本発明に含まれる事は言うまでもない。
【００２２】
【発明の効果】
以上に詳述したように、本発明によれば、病院内はもちろん在宅での輸液療法に際しても点滴静注をしながらの歩行、移動が容易で場所をとらず、軽量で輸液剤、輸液ポンプ、輸液セット等がコンパクトに収納できる輸液スタンドが提供できる。
【００２３】
また、本発明では、輸液剤、輸液ポンプ、輸液セットを輸液スタンド本体内部へ収納するため、輸液セットのチューブや輸液ポンプを家具等に引掛けてしまい接続部が外れてしまうことがなく、また、輸液の遮光カバーを破いてしまうこともない。
【００２４】
輸液剤は光によって変質することがなく、されに輸液ポンプが電磁波の影響を受けて誤作動することもない輸液スタンドを提供できる。
【図面の簡単な説明】
【図１】輸液スタンド１の外観図である。
【図２】輸液スタンド１に輸液容器、輸液ポンプ及び輸液セットを収納し、点滴静注する状態にした時の外観図である。
【符号の説明】
１  輸液スタンド
２  輸液スタンド本体
３  蓋体
４  輸液スタンド上部
５  輸液スタンド底部
６  脚部
７  把持部
８  切欠部
９  輸液容器収納部
１０  収納壁
１１  輸液ポンプ収納部、
１２  点滴筒保持部
１３  輸液容器
１４  排液セット
１５  点滴筒
１６    輸液ポンプ
１７  係止具
１８  輸液ポート部分
１９  バンド様固定具
【図１】
0004349702.tif 000002
【図２】
0004349702.tif 000003